(57)【要約】【課題】  ネットワークに接続され、建物の各室内に設けられた空調室内機を利用することにより、コストがおさえられ、効果的な避難誘導システムを提供する。【解決手段】  避難誘導システム１は、空調室内機１２と、表示生成手段２０と、表示制御装置３０とを備えている。対象空間７０を空調する空調室内機１２は、ネットワーク１０に接続された通信手段１１を有する。表示生成手段２０は、対象空間７０に、避難誘導に関する表示である避難誘導表示２１を生じさせることができる。表示制御装置３０は、通信手段１０からの所定の信号を受け、表示生成手段２０を制御する。【選択図】      図１
2007018240.tif 000002
【特許請求の範囲】
【請求項１】
ネットワーク(10)に接続された通信手段(11, 111)を有し、対象空間（70）を空調する空調室内機（12）と、
前記対象空間（70）に、避難誘導に関する表示である避難誘導表示（21，121， 221）を生じさせることができる、表示生成手段（20, 120, 220）と、
前記通信手段 (11, 111)からの所定の信号を受け、前記表示生成手段(20, 120, 220）を制御する、表示制御装置（30, 130, 230）と、
を備えた避難誘導システム(1)。
【請求項２】
前記通信手段(11)は、防災システム（50）の情報に基づき、前記表示制御装置 (30)に前記所定の信号を送る、
請求項１記載の避難誘導システム(1)。
【請求項３】
前記空調室内機(12)は、一以上のセンサ(13)を有し、
前記通信手段(11)は、前記センサ(13)からの情報に基づき、前記表示制御装置(30)に前記所定の信号を送る、
請求項１又は２記載の避難誘導システム(1)。
【請求項４】
前記表示生成手段（20，220）は、ＬＥＤ発光素子を有している、
請求項１から３のいずれかに記載の避難誘導システム(1)。
【請求項５】
前記表示生成手段（20）は、前記対象空間（70）の床の表面に前記避難誘導表示(21)を生じさせ、
前記表示制御装置（30）は、前記床の下方の空間に設けられている、
請求項１から４のいずれかに記載の避難誘導システム(1)。
【請求項６】
前記表示生成手段(120)及び前記表示制御装置（130）は、前記空調室内機(12)に取り付けられており、
前記表示生成手段(120)は、投影させることにより前記対象空間（70）に前記避難誘導表示(121)を生じさせる、
請求項１から３のいずれかに記載の避難誘導システム(1)。
【請求項７】
前記表示生成手段(220)及び前記表示制御装置(230)は、前記空調室内機(12)に取り付けられており、
前記表示生成手段(220)は、前記空調室内機(12)の表面上に前記避難誘導表示(221)を生じさせる、
請求項１から４のいずれかに記載の避難誘導システム(1)。
【請求項８】
前記表示制御装置（30）は、停電時において自動的に電力を供給する蓄電池を有している、
請求項１から７のいずれかに記載の避難誘導システム(1)。
【発明の詳細な説明】
【技術分野】
【０００１】
本発明は、空調室内機とネットワークとを利用した避難誘導システムに関する。
【背景技術】
【０００２】
従来、通信機能を利用して避難誘導表示を行う避難誘導システムが利用されている。
たとえば、特許文献１においては、照明配電盤に無線発信機が設けられ、誘導灯の発光などを制御する避難誘導システムが開示されている。
【特許文献１】特開２００４−３０２９７４号公報（２００４年１０月２８日公開）
【発明の開示】
【発明が解決しようとする課題】
【０００３】
上記従来の避難誘導システムでは、火災などの異常発生の検知（センサ）機能は各誘導灯に個別に設けられている。これらの誘導灯を新たに設置することはコストがかかる。一方、建物内において特に人が集まっている場所には、効果的な避難誘導表示が望まれる。
本発明の課題は、コストがかからず、効果的な避難誘導表示を行う避難誘導システムを提供することである。
【課題を解決するための手段】
【０００４】
第１の発明に係る避難誘導システムは、空調室内機と、表示生成手段と、表示制御装置とを備えている。対象空間を空調する空調室内機は、ネットワークに接続された通信手段を有する。表示生成手段は、対象空間に、避難誘導に関する表示である避難誘導表示を生じさせることができる。表示制御装置は、通信手段からの所定の信号を受け、表示生成手段を制御する。
【０００５】
ここで、ネットワークとしては、たとえば建物内の空気調和を一括して管理・制御するために設けられた、専用線により結ばれた空調用ネットワークがある。これに代えて、このネットワークは、ＬＡＮ或いはイントラネットなどの汎用ネットワークであってもよい。
ネットワークと通信手段との接続は有線、無線のいずれであってもよい。なお、ネットワークに接続された通信手段とは、通信手段が接続されるネットワークの１ノードである場合も含む。
【０００６】
通信手段は、ネットワークを介して指令信号を受け、その指令信号に基づき所定の信号を生成し、表示制御装置に送る。表示制御装置は、前記所定の信号を受けて、表示生成手段を制御し、その結果避難誘導表示を生じさせる。なお、通信手段から表示制御装置への信号の送信は、有線、無線のいずれであってもよい。
これにより、既存のネットワークをそのまま利用して火災などの異常の発生を知らせる情報を入手し、その情報に基づき避難誘導表示を生じさせることができる。また、通信手段を有する空調室内機は、建物内の特に人が集まっている場所にすでに設置されている。したがって、コストがかからず、効果的な避難誘導システムを導入することができる。
【０００７】
第２の発明に係る避難誘導システムは、第１の発明に係る避難誘導システムであって、通信手段は、防災システムの情報に基づき、表示制御装置に前記所定の信号を送る。
ここで、防災システムの情報は、ネットワークを介して自動的に通信手段に送られてもよく、或いは防災システムの端末装置から直接手入力することにより通信手段に送られてもよい。
これにより、既存の防災システムと既存の空調室内機とをそのまま利用できるため、さらにコストを抑えた、効果的な避難誘導システムが実現できる。
【０００８】
第３の発明に係る避難誘導システムは、第１又は第２の発明に係る避難誘導システムであって、空調室内機は、一以上のセンサを有する。また、通信手段は、センサからの情報に基づき、表示制御装置に所定の信号を送る。
【０００９】
これらのセンサは、空調室内機の制御のために使用される温度センサやＣＯ2センサ、別途設けられた煙濃度を検知するセンサなどである。これらのセンサが検知した情報は、たとえば、通信手段を通じて随時空調システムの空調管理装置に送信される。その結果、異常が発生していると判断された場合は、避難誘導表示をさせるための信号が通信手段に送信される。これに代えて、センサの情報を受けた通信手段は、直接表示制御装置に所定の信号を送信してもよい。
【００１０】
また、防災システムからの情報とセンサからの情報との双方の情報に基づき、表示制御装置に所定の信号を送ることも可能である。
これにより、既存の空調室内機のセンサをそのまま利用できるため、スペースをとらず、コストを抑えた、効果的な避難誘導システムが実現できる。
【００１１】
第４の発明に係る避難誘導システムは、第１から第３の発明のいずれか１つに係る避難誘導システムであって、表示生成手段は、ＬＥＤ発光素子を有している。
これにより、いっそう視認性が優れ、かつ照明が長寿命の避難誘導表示を提供できる。
【００１２】
第５の発明に係る避難誘導システムは、第１から第４の発明のいずれか１つに係る避難誘導システムであって、表示生成手段は、対象空間の床の表面に避難誘導表示を生じさせる。また、表示制御装置は、前記床の下方の空間に設けられている。
この床は、たとえばフリーアクセスフロアであり、下方の空間に表示制御装置も設置できる。
これにより、空間を有効に利用することでき、省スペースに優れた避難誘導システムが実現できる。また、床上に避難誘導表示があることにより、人々の注意を喚起しやすく、安全かつ確実な避難誘導を可能とする避難誘導表示を提供することができる。
【００１３】
第６の発明に係る避難誘導システムは、第１から第３の発明のいずれか１つに係る避難誘導システムであって、表示生成手段及び表示制御装置は、空調室内機に取り付けられている。また、表示生成手段は、投影させることにより対象空間に避難誘導表示を生じさせる。
これにより、表示生成手段や表示制御装置のスペースを新たにつくる必要はなく、また避難誘導表示も壁上や床上など任意の場所に、避難時のみに、表示することができる。
【００１４】
第７の発明に係る避難誘導システムは、第１から第４の発明のいずれか１つに係る避難誘導システムであって、表示生成手段及び表示制御装置は、空調室内機に取り付けられている。また、表示生成手段は、空調室内機の表面上に避難誘導表示を生じさせる。
たとえば、空調室内機にディスプレイ装置を設けて、空調室内機の表面上にディスプレイ表示を行うことができる。
これにより、表示生成手段や表示制御装置のスペースを新たにつくる必要はなく、かつ見通しのよい天井に避難誘導表示を行うことができる。
【００１５】
第８の発明に係る避難誘導システムは、第１から第７の発明のいずれか１つに係る避難誘導システムであって、表示制御装置は、停電時において自動的に電力を供給する蓄電池を有している。
これにより、停電時においても避難誘導表示を継続して行うことができ、より信頼性のある効果的な避難誘導システムを実現できる。
【発明の効果】
【００１６】
本発明の避難誘導システムによれば、既存のネットワークや既存の設備をそのまま利用して、コストが抑えられ、効果的な避難誘導を実現することができる。
【発明を実施するための最良の形態】
【００１７】
本発明の一実施形態に係る避難誘導システムについて、図１〜図５を用いて説明する。なお、図１及び図２において矢印は信号の流れを示す。
（避難誘導システム全体の構成）
本実施形態における避難誘導システム１は、図１に示すように、空調システム１０に接続された通信装置１１を有する空調室内機１２、表示生成手段としての表示生成装置２０、表示制御装置３０、及び防災システム５０を備えている。
【００１８】
（ネットワークおよび防災システム）
空調室内機１２の通信装置１１は、図１に示すように、空調を監視・制御するための空調管理装置１４を含む、空調システム１０に通信線１５を介して接続されている。
なお、図１に示すように、空調管理装置１４は、空調室外機１６を介して、複数の空調室内機１２に接続され、空調システム１０を形成している。空調管理装置１４は、各空調室内機１２から随時送信されてくる、各室内の温度やＣＯ2濃度の数値情報などに基づき、各部屋７０の空調を管理・制御している。
【００１９】
空調システム１０は、防災システム５０に接続されている。防災システム５０は、空調システム１０と同一構内に構築された別のネットワークや、遠隔地から公衆回線網などを介して空調システム１０に接続されているネットワークのいずれであってもよい。
（空調室内機）
空調室内機１２は、図２に示すように、部屋７０の見通しのよい天井に設置されている。なお、図示は省略しているが、部屋７０の大きさに合わせた数の空調室内機１２が天井に設置されている。
【００２０】
空調室内機１２は、図１及び図３に示すように、通信線１５を介して空調システム１０に有線で接続されている。空調室内機１２は、通信装置１１と、センサ１３とを有する。
通信装置１１は、図２に示すように、送受信部１１ａと、通信制御部１１ｂと、無線送信部１１ｃとを有する。送受信部１１ａは、空調管理装置１４から空調室外機１６を介して送信される信号を受信する。次いで、通信制御部１１ｂは、その信号を避難誘導表示させるための信号と判断すると、無線送信部１１ｃに所定の信号を表示制御装置３０に向けて無線発信するよう指令する。
【００２１】
また、通信装置１１の送受信部１１ａは、センサ１３からの信号も受信する。通信制御部１１ｂは、その信号がセンサ１３からの信号と判断した後、同信号を、送受信部１１ａを介して空調管理装置１４へ送信する。このセンサ１３からの送信は随時行われる。
センサ１３は、温度センサ及びＣＯ2センサなどである。センサ１３は、通信装置１１に対し、感知した室内の温度やＣＯ2濃度などの情報を含む信号を随時送信する機能を備えている。
【００２２】
（表示生成装置）
本実施形態においては、図３及び図４に示すように、表示生成装置２０は、数十センチ四方の正方形のタイル状床材を組み合わせたフリーアクセスフロアを有する。床材の表面には、矢印形状の避難誘導表示部２１が形成されている。この避難誘導表示部２１の内部には、ＬＥＤ発光素子が取り付けられている。図４に示すように、複数の矢印表示が避難方向を示すように、タイル状床材が組み合わせられている。
【００２３】
なお、避難誘導表示部は矢印形状に限定されな、避難誘導に適した形状であればよい。
表示生成装置２０は、表示制御装置３０に接続されている。
（表示制御装置）
表示制御装置３０は、図１に示すように、空調室内機１２の通信装置１１からの無線信号を受信する受信部３０ａと、同信号を受けて表示生成装置２０を制御する表示制御部３０ｂとを有する。
表示制御装置３０は、図３に示すように、フリーアクセスフロアの下の空間に設置され、電源６１に接続されている。表示制御装置３０はまた、蓄電池６２を有している。
【００２４】
（避難誘導システムの動作）
次に、この避難誘導システム１の動作を、主に図５のフローチャートを参照しながら説明する。
【００２５】
まず、ステップＳ１１において、防災システム５０に火災などの異常が発生したことを知らせる情報（以下、異常発生情報とする）が入る。
次いで、ステップＳ１２において、防災システム５０からの上記情報に基づき、異常発生を知らせる信号が、異常が発生した建物の空調システム１０内の空調管理装置１４に送信される。
【００２６】
ステップＳ１４において、空調管理装置１４は、避難誘導表示を生じさせるための指令信号を空調室内機１２の通信装置１１に送信する。その指令信号は、図２に示すように、通信装置１１の送受信部１１ａにより受信される。次いで、通信制御部１１ｂが、その信号を避難誘導表示させるための指令信号と判断すると、無線送信部１１ｃに所定の信号を無線発信するよう指令する。
【００２７】
なお、ステップＳ１３において、空調管理装置１４は、防災システム５０からの異常発生情報がない場合でも、空調室内機１２のセンサ１３からの情報に基づき、避難誘導表示を表示させるための信号を通信装置１１に送信する。すなわち、空調管理装置１４は、随時把握している各室内の温度やＣＯ2濃度の数値から異常が発生していると判断した場合、避難誘導表示をさせるための指令信号を生成し、通信装置１１に送信する。この判断は、たとえば、空調管理装置１４内のメモリに温度やＣＯ2濃度の限界値を記憶させておき、随時送信されてくる各室内の温度やＣＯ2濃度の数値がその限界値を超えているかどうかを比較演算し、超えていればその室内において異常が発生していると判断することにより行われる。
【００２８】
次いで、ステップＳ１５において、避難誘導表示を生じさせるための信号を受信した通信装置１１は、表示制御装置３０に無線で所定の信号を送信する。
ステップＳ１６において、上記無線信号を受信した表示制御装置３０は、表示生成装置２０を作動させる。この作動により、フリーアクセスフロア上に矢印形状の避難誘導表示部２１が点滅し、避難誘導表示を生じさせる。
避難する人たちは、図４に示すように、床上に点滅する矢印表示に沿って進めば、非常口に辿り着ける。
【００２９】
（本実施形態に係る避難誘導システムの特徴）
（１）
本実施形態の空調室内機１２は、すでに空調システム１０に接続されており、そのネットワークをそのまま利用できる。また、既存の防災システム５０やすでに空調室内機１２が有しているセンサ１３からの情報を利用することもできる。さらに、空調室内機１２は人が多く集まる各部屋７０の見通しのよい天井に設置されている。よって、スペースをとらず、コストが抑えられ、効果的な避難誘導システム１が実現される。
【００３０】
（２）
本実施形態によれば、空調室内機１２の通信装置１１と表示制御装置３０との通信は、無線で行われている。よって、スペースをとらず、視認しやすい効果的な避難誘導システム１が実現される。
（３）
本実施形態の表示生成装置２０は、タイル状床材からなるフリーアクセスフロアを採用しているため、床の下方の空間を有効に利用することでき、設置が簡単で、省スペースに優れている。また、床上に避難誘導表示部２１があるため、人々の注意を喚起しやすく、安全かつ確実な避難誘導が可能となる。
【００３１】
（４）
本実施形態の避難誘導表示部２１には、ＬＥＤ発光素子を使用している。よって、視認性が優れ、かつ照明が長寿命の表示が可能となる。
（５）
本実施形態の表示制御装置３０は蓄電池６２を有している。よって、停電時に電力が供給されなくなっても、避難誘導表示を継続して行うことができるため、より信頼性のある効果的な避難誘導システム１が実現される。
【００３２】
＜上記実施形態の変形例＞
（ａ）
空調室内機１２の通信装置１１が接続されているネットワークは、上述した実施形態にある空調システム１０に限定されない。各空調室内機１２は通信装置１１を有しているため、たとえばＬＡＮ或いはイントラネットなどの汎用ネットワークとの接続も可能である。その場合、空調室内機１２の通信装置１１は、汎用ネットワークを介して空調管理装置１４からの信号を受信する。
【００３３】
なお、ネットワークと通信装置１１との間は有線、無線のいずれであってもよい。
このように、避難誘導システムは、空調室内機１２の通信装置１１に接続されるネットワークの種類に拘泥されない。
（ｂ）
防災システム５０から送信される異常発生情報は、空調管理装置１４を介さず、防災システム５０から直接通信装置１１に送信されてもよい。
【００３４】
（ｃ）
また、防災システム５０における異常発生情報は、自動的に送信されるだけでなく、端末装置に直接手入力して送信してもよい。
（ｄ）
空調室内機１２のセンサ１３としては、温度センサやＣＯ2センサの他に、たとえば煙センサがあってもよい。
【００３５】
（ｅ）
また、各センサ１３の検知した情報を受信した通信装置１１は、直接表示制御装置３０に避難誘導表示２１をさせるための指令信号を送信してもよい。この場合、たとえば、通信装置１１は、各センサ１３の検知する温度やＣＯ2濃度などの値の限界値が予め記憶されたメモリを有し、制御部においてその限界値と各センサ１３の検知した値とを比較演算を行った上、限界値を超えた場合に直接表示制御装置３０に信号を送信することもできる。
【００３６】
（ｆ）
図６に示すように、表示生成装置は空調室内機１２に取り付けられた投影機１２０であり、同じく空調室内機１２内に取り付けられた表示制御装置１３０の制御により、避難誘導表示１２１としての矢印表示を床面に投影する。表示制御装置１３０は、空調室内機１２の内部の、ネットワークに接続された通信装置１１１と接続されている。なお、通信装置１１１は、表示制御装置１３０と有線で接続されており無線発信部がないことを除いては、上記実施形態の通信装置１１と同様の構成及び機能を有する。
【００３７】
この場合、天井に取り付けられた複数の空調室内機１２が避難方向を指す複数の矢印を床面に投影し、それらが同時に表示されることにより避難経路を示すよう設定する。
なお、避難誘導表示は、壁面に投影してもよい。
これにより、表示生成装置や表示制御装置はすべて室内空調機１２の内部に取り付けられるため、これらの装置のためのスペースを新たにつくる必要はなくなる。さらに、避難誘導表示を壁面や床上など任意の場所に、避難時のみ、表示することができる。
【００３８】
（ｇ）
図７に示すように、表示生成装置は、空調室内機１２に設置された、液晶などのディスプレイ装置２２０であってもよい。この場合、ディスプレイを空調室内機１２の表面上に取り付け、同じく空調室内機１２内において取り付けられた表示制御装置２３０の制御により、避難誘導表示２２１である矢印をディスプレイ上に表示する。なお、空調室内機１２の内部に設けられ、ネットワークに接続された通信装置（図示省略）は、上記図６の変形例と同じく、表示制御装置２３０と有線で接続されており無線発信部がないことを除いては、上記実施形態の通信装置１１と同様の構成及び機能を有する。
【００３９】
この変形例の場合、天井に整列して配置された複数の空調室内機１２にそれぞれ矢印を表示することができる。或いはディスプレイに避難経路の地図を表示したり、避難誘導のための文字情報を表示したりすることも可能となる。
これにより、表示生成装置や表示制御装置はすべて室内空調機１２の内部に取り付けられるため、これらの装置のためのスペースを新たにつくる必要はない。また見通しのよい天井に多様な避難誘導表示を実現できる。
【００４０】
（ｈ）
表示制御装置３０は、内部に蓄電池６２を設けて、コンパクトにすることもできる。
【産業上の利用可能性】
【００４１】
本発明は、ネットワークに接続され、建物内の各室内に設けられた空調室内機を利用することにより、コストがおさえられ、効果的な避難誘導システムを実現できるため有用である。
【図面の簡単な説明】
【００４２】
【図１】本発明の一実施形態による避難誘導システムの概念図。
【図２】本発明の一実施形態による空調室内機の通信装置の構成を示すブロック図。
【図３】本発明の一実施形態による空調室内機、表示制御装置及び表示生成装置の導入例を示す概略図。
【図４】本発明の一実施形態による表示生成装置の平面図。
【図５】本発明の一実施形態による避難誘導システムの処理の流れを示すフローチャート。
【図６】本発明の実施形態の一変形例による、表示制御装置及び表示生成装置の導入例を示す概略図。
【図７】本発明の実施形態の他の変形例による、空調室内機及び表示生成装置の平面図。
【符号の説明】
【００４３】
１                    避難誘導システム
１０                  空調システム（ネットワーク）
１１，１１１          通信装置（通信手段）
１１ａ                送受信部
１１ｂ                通信制御部
１１ｃ                無線送信部
１２                  空調室内機
１３                  センサ
１４                  空調管理装置
１５                  通信線
１６                  空調室外機
２０                  表示生成装置（表示生成手段）
２１                  避難誘導表示部（避難誘導表示）
３０，１３０，２３０  表示制御装置
３０ａ                受信部
３０ｂ                表示制御部
５０                  防災システム
６１                  電源
６２                  蓄電池
７０                  部屋（対象空間）
１２０                投影機（表示生成手段）
２２０                ディスプレイ装置（表示生成手段）
１２１，２２１        避難誘導表示
【図１】
2007018240.tif 000003
【図２】
2007018240.tif 000004
【図３】
2007018240.tif 000005
【図４】
2007018240.tif 000006
【図５】
2007018240.tif 000007
【図６】
2007018240.tif 000008
【図７】
2007018240.tif 000009